(57)【要約】【課題】  本発明の課題は、ＩＦ帯以降のアナログ回路をデジタル化することにより、小型化および低消費電力化を実現することのできる受信装置を提供することである。【解決手段】  上記課題は、無線信号を受信する受信装置であって、無線周波数帯の受信信号を受信する受信手段と、複数の異なるタイミングを生成するタイミング生成手段と、前記受信手段により受信した受信信号を、前記生成される複数の異なるタイミングでサンプリングすることで、複素ベクトル表現が可能な一組または複数組のベースバンド信号を生成するベースバンド信号生成手段と、前記ベースバンド信号生成手段により生成される一組または複数組のベースバンド信号を用いて前記受信信号の検波を行う検波手段と、を備えることを特徴とする受信装置にて達成される。【選択図】  図１
2005236436.tif 000002
【特許請求の範囲】
【請求項１】
無線信号を受信する受信装置であって、
無線周波数帯の受信信号を受信する受信手段と、
複数の異なるタイミングを生成するタイミング生成手段と、
前記受信手段により受信した受信信号を、前記生成される複数の異なるタイミングでサンプリングすることで、複素ベクトル表現が可能な一組または複数組のベースバンド信号を生成するベースバンド信号生成手段と、
前記ベースバンド信号生成手段により生成される一組または複数組のベースバンド信号を用いて前記受信信号の検波を行う検波手段と、
を備えることを特徴とする受信装置。
【請求項２】
請求項１に記載の受信装置であって、
前記タイミング生成手段は、前記無線周波数帯の受信信号をそれぞれ異なる時間遅延させて生成する、または前記受信信号をサンプリングするクロックをそれぞれ異なる時間遅延させて生成することを特徴とする受信装置。
【請求項３】
請求項１または２に記載の受信装置であって、
前記ベースバンド信号生成手段は、前記複素表現が可能なある一組のベースバンド信号を生成するタイミングの間隔として、無線周波数帯の受信信号の中心周波数を所定の位相回転量だけ位相回転させる値とすることを特徴とする受信装置。
【請求項４】
請求項３に記載の受信装置であって、
前記位相回転量を、
（π／２＋２π×Ｎ）〔ｒａｄ〕（Nは、正の整数）回転する値とすることを特徴とする受信装置。
【請求項５】
請求項１乃至４いずれかに記載の受信装置であって、
前記受信信号がＦＳＫ信号の場合、前記ベースバンド信号生成手段により生成される複数組のベースバンド信号を用いてゼロクロス検波を行うゼロクロス検波手段を備えることを特徴とする受信装置。
【請求項６】
請求項５に記載の受信装置であって、
前記ゼロクロス検波の検波出力を加算または論理和を行う演算手段と、
前記演算手段による加算または論理和の演算結果に基づいて、データの符号判定をする符号判定手段と、
を備えることを特徴とする受信装置。
【請求項７】
請求項１乃至４いずれかに記載の受信装置であって、
前記ベースバンド信号生成手段により生成される複数組のベースバンド信号の中から、受信品質に基づいて、ある一組のベースバンド信号を選択するベースバンド信号選択手段を備え、
前記ベースバンド信号選択手段により選択されるある一組のベースバンド信号を用いて受信信号を検波することを特徴とする受信装置。
【請求項８】
無線信号の受信方法であって、
無線周波数帯の受信信号を受信し、
前記無線周波数帯の受信信号をそれぞれ異なる時間遅延させて、または前記受信信号をサンプリングするクロックをそれぞれ異なる時間遅延させて複数の異なるタイミングを生成し、
前記受信信号を複数の異なるタイミングでサンプリングし、
前記サンプリングにより、複素ベクトル表現が可能な一組または複数組のベースバンド信号を生成し、
前記一組または複数組のベースバンド信号を用いて前記受信信号の検波を行うことを特徴とする受信方法。
【発明の詳細な説明】
【技術分野】
【０００１】
本発明は、ＩＦ帯以降の処理をオールデジタル化とすることで、小型化および低消費電力化を実現する受信装置及びその方法に関する。
【背景技術】
【０００２】
デジタル信号を変調し、伝送するデジタル変調方式として、ＦＳＫ（周波数偏位変調（Frequency Shift Keying、「ＦＳＫ 」という）方式がある。図８は、このＦＳＫ方式で変調された信号（以下、ＦＳＫ信号という）をゼロクロス検波する従来の受信装置の構成例を示す図である（例えば、非特許文献１参照）。ゼロクロス検波とは、ＦＳＫ変調波のＩ信号が、振幅ゼロの線をクロスする時の方向（立上りまたは立下り）と、該時点におけるＱ信号の値（ＨｉｇｈまたはＬｏｗ）の関係を用いて２つの搬送周波数の識別を行うことを言う。当然、Ｑ信号が振幅ゼロの線をクロスする時も同等である。
【０００３】
以下、同図を用いてこの受信装置の動作を説明する。
【０００４】
同図において、アンテナ１から入力されたＲＦ帯の受信信号は、乗算器２−１において、局部発振器３−１から出力される信号と乗算され、ＩＦ帯にダウンコンバートされる。ＩＦ帯にダウンコンバートされた受信信号は、バンドパスフィルタ（ＢＰＦ）４、およびリミッタ５−１を介して、乗算器２−２と乗算器２−３に入力される。乗算器２−２、２−３には、局部発信器３−２からの信号が入力される。ただし、乗算器２−３に対してはπ／２位相シフタ６を介して入力されているので、π／２の位相差がある局部発信器３−２からの信号が乗算される。そして、乗算器２−２、２−３の出力から、複素ベクトル表現が可能な一組のベースバンド信号（Ｉ（In-Phase Axis）信号、Ｑ（Quadrature-Phase Axis）信号）が得られる。ここで得られたベースバンド信号は、その後、フリップフロップ（Ｄ−ＦＦ）７７−１、７−２においてクロック発生器８からのクロックにてラッチされ、検波部に出力される。この出力信号は、検波部でのゼロクロス検波（後述する）によって“１”または“０”のデータ判定が行われた後、出力端子１３から判定されたデータが出力される。
【０００５】
続いて、図９を用いて、図８に示すフリップフロップ７−１、７−２以降のゼロクロス検波の動作について説明する。本例では、“１”のデータを伝送する場合、信号点が左回りとなる周波数偏位、“０”のデータを伝送する場合、信号点が右回りとなる周波数偏位とするＦＳＫを行うものとする。以下、同図の（ａ）の場合を取上げて説明する。
【０００６】
同図において、信号点が左廻り（データ“１”の伝送）でIn-Phase Axisを横切る場合、Ｉ信号は＋１（フリップフロップ７−１の出力）となり、Ｑ信号は−１から＋１に変化（フリップフロップ７−２の出力）する。この変化は、遅延器９−２および加算器１０−２を用いて検出することが可能であり、本例の場合、加算器１０−２からは＋２のパルスが得られる。そして、該パルスに対して、フリップフロップ７−１からの出力である+１が乗算器２−５において乗算され、該乗算器２−５からは＋２のパルスが出力される。
【０００７】
上記パルスは、加算器１０−３において、乗算器２−４から出力される信号と加算されるが、該乗算器２−４からは０が出力されているので、加算器１０−３からは、そのまま。＋２が出力される。このような動作を行うことにより、左廻り（“１”伝送時）の場合、＋２、右回り（“０”伝送時）の場合、−２のパルスが得られる。なお、同図中、(b)から(h)についても、上記同様に動作する。
【０００８】
図８に戻り、ゼロクロスカウンタ１１および符号判定部１２では、パルスの符号（＋または−）を計測することで、伝送したデータ（“１”または“０”）が判定され、判定されたデータが出力端子１３より出力される。
【０００９】
上記のようなゼロクロス検波では、送信装置の周波数ドリフトまたはフェージングにより発生するドップラーシフトの影響で、受信信号の周波数偏位（図９に示した信号点の位相の回転量）が変化して、Ｉ軸またはＱ軸を通過することが生じない場合がある。つまり、前述した信号の変化（−１から＋１、または＋１から−１）が得られないため、正しいデータを検出することが不可能となる。
【００１０】
そこで、この問題を解決する方法として、非特許文献１及び非特許文献２に記載されているように、複数組のベースバンド信号を用いることで、π／２〔ｒａｄ〕以下の位相の回転量となった場合でも、ゼロクロスの発生を可能とし、受信品質低下を軽減する方法が提案されている。以下、この従来法を、図１０を用いて説明する。図１０は、図８におけるバンドパスフィルタ（ＢＰＦ）４の出力端以降について示す図である。また、図８に示す一点鎖線部分の検波部は、ここでは、検波部２０−１、２０−２として一つのブロックで示している。
【００１１】
同図において、前述と同様にして生成される一組のベースバンド信号（Ｉ、Ｑ）は、合成回路としてのリニアコンバイナ１４に入力される。リニアコンバイナ１４では、下記（１）式にしたがって処理を行うことで、複数組のベースバンド信号（Ｉ（ｋ）、Ｑ（ｋ））（ｋは、第ｋ組を表す）が得られる。なお、リミッタ５−２〜５−５は下記（１）式の処理を実行する必要があるため、リニアコンバイナ１４の後段に配置されている。
（式１）
Ｉ（ｋ）＝Ｉ×ｃｏｓθ（k）＋Ｑ×ｓｉｎθ（ｋ）
Ｑ（ｋ）＝１Ｉ×ｓｉｎθ（k）＋Ｑ×ｃｏｓθ（ｋ）
続いて、図１１を用いて、上記の従来法における複数組のベースバンド信号Ｉ（ｋ）、Ｑ（ｋ）が得られる様子を説明する。図中、黒丸は、ある瞬間の信号点を表している。また、同図に示す例は、ｋ＝２の場合について示したものである。
【００１２】
同図に示すように、一つの信号であっても、軸を回転することにより複数組のベースバンド信号（Ｉ（１），Ｑ（１）とＩ（２），Ｑ（２））を得ることができる。
【００１３】
このようにして得られるベースバンド信号Ｉ（ｋ）、Ｑ（ｋ）は、それぞれのリミッタ５−２〜５−５を介してフリップフロップ７−３〜７−６に入力される。そして、フリップフロップ７−３〜７−６でラッチされた信号は、それぞれの検波部２０−１、２０−２に入力される。検波部２０−１、２０−２の動作は、図８に示す検波部と同様である。検波部２０−１、２０−２から出力された信号は、ゼロクロスカウンタ１１−２を介して符号判定部１２で処理された後、出力端子１３から判定されたデータが出力される。
【非特許文献１】Edward K. B. Lee and Hyuck M. Kwon, “New Baseband Zero-Crossing Demodulator for Wireless Communications, Part I: Performance Under Static Channel,” IEEE Military Communications Conference, San Diego, pp. 543-547, November 5-8, 1995.
【非特許文献２】S. Samadian, R. Hayashi, and A.A. Abidi, “Demodulators for a Zero-IF Bluetooth Receiver”, IEEE Journal of Solid-State Circuits, vol.38, no.8, pp. 1393-1396, 2003
【発明の開示】
【発明が解決しようとする課題】
【００１４】
上述した、従来法によれば、複数組のベースバンド信号を生成することにより、周波数ドリフトまたはドップラーシフトまたは低変調指数時に発生するゼロクロスロスに起因する伝送品質の低下を軽減することが可能となる。
【００１５】
しかしながら、従来法では、Ｉ信号およびＱ信号を生成するために、乗算器などのアナログ回路を用いるため、調整が複雑となること、小型化が困難であること、消費電力を低減できないこと等の問題が存在する。また、変調方式としてＦＳＫを適用し、複数組のベースバンド信号によるゼロクロス検波を実行する場合、さらにリニアコンバイナなどのアナログ回路が必要となるので、さらに、回路調整の複雑さ、小型化の困難さ、消費電力低減の困難さが増大していた。
【００１６】
こうした問題に対し、ＲＦ／アナログ部を最小限に押さえたソフトウェア無線の技術が有望とされているが、同技術では、高周波信号を直接デジタル化することにより、アナログ処理をデジタル信号処理に置き換えるため、超高速のＡＤコンバータが欠かせない。すなわち、アナログ処理と同等の特性を得るためには、ビット数が多い（高分解能な）ＡＤコンバータが必要となり、消費電力を低減できないと言う問題が発生する。
【００１７】
本発明は、上記のような問題点に鑑みてなされたもので、その課題とするところは、ＩＦ帯以降のアナログ回路をデジタル化することにより、小型化および低消費電力化を実現することのできる受信装置およびその方法を提供することである。
【課題を解決するための手段】
【００１８】
上記課題を解決するため、本発明は、請求項１に記載されるように、無線信号を受信しているであって、無線周波数帯の受信信号を受信する受信手段と、複数の異なるタイミングを生成するタイミング生成手段と、前記受信手段により受信した受信信号を、前記生成される複数の異なるタイミングでサンプリングすることで、複素ベクトル表現が可能な一組または複数組のベースバンド信号を生成するベースバンド信号生成手段と、前記ベースバンド信号生成手段により生成される一組または複数組のベースバンド信号を用いて前記受信信号の検波を行う検波手段と、を備えることを特徴としている。
【００１９】
また、本発明の請求項２によれば、前記受信装置であって、前記タイミング生成手段は、前記無線周波数帯の受信信号をそれぞれ異なる時間遅延させて生成する、または前記受信信号をサンプリングするクロックをそれぞれ異なる時間遅延させて生成することを特徴としている。
【００２０】
また、本発明の請求項３によれば、前記受信装置であって、前記ベースバンド信号生成手段は、前記複素表現が可能なある一組のベースバンド信号を生成するタイミングの間隔として、無線周波数帯の受信信号の中心周波数を所定の位相回転量だけ位相回転させる値とすることを特徴としている。
【００２１】
また、本発明の請求項４によれば、前記受信装置であって、前記位相回転量を、（π／２＋２π×Ｎ）〔ｒａｄ〕（Nは、正の整数）回転する値とすることを特徴としている。
【００２２】
また、本発明の請求項５によれば、前記受信装置であって、前記受信信号がＦＳＫ信号の場合、前記ベースバンド信号生成手段により生成される複数組のベースバンド信号を用いてゼロクロス検波を行うゼロクロス検波手段を備えることを特徴としている。
【００２３】
また、本発明の請求項６によれば、前記受信装置であって、前記ゼロクロス検波の検波出力を加算または論理和を行う演算手段と、前記演算手段による加算または論理和の演算結果に基づいて、データの符号判定をする符号判定手段と、を備えることを特徴としている。
【００２４】
また、本発明の請求項７によれば、前記受信装置であって、前記ベースバンド信号生成手段により生成される複数組のベースバンド信号の中から、受信品質に基づいて、ある一組のベースバンド信号を選択するベースバンド信号選択手段を備え、前記ベースバンド信号選択手段により選択されるある一組のベースバンド信号を用いて受信信号を検波することを特徴としている。  
【発明の効果】
【００２５】
本願発明によれば、無線周波数信号を複数の異なるタイミングでサンプリングすることで、複数の位相の異なるベースバンド信号を生成し、その生成したベースバンド信号を用いて、ゼロクロス検波を実行する。これにより、ゼロクロスロスに起因する伝送品質の低下を軽減することができると共に、ＩＦ帯以降のアナログ回路をオールデジタル化することが可能となり、受信装置の小型化および低消費電力化を実現することができる。
【発明を実施するための最良の形態】
【００２６】
以下、本発明の実施の形態を図面に基づいて説明する。
【００２７】
（第１の実施形態）
図１は、第１の実施形態における受信装置の構成を示すブロック図である。本実施形態における受信装置は、図８に示した従来の受信装置と基本的構成を同様であるので、各構成要素には同一の符合を付しその説明は省略すると共に、従来の受信装置との差異について詳述する。本発明による受信装置と従来の受信装置と異なる箇所は、図１に示されるように破線で囲んだ部分である。
【００２８】
また、本実施形態における受信装置は、変調方式としてＦＳＫが適用され、ゼロクロス検波が行われるものと仮定し以下説明を進める。
【００２９】
同図において、アンテナ１から入力されたＲＦ帯の受信信号は、前述したとおり、ＩＦ帯にダウンコンバートされて、リミッタ５から出力される。リミッタ５からの出力信号は、二つのフリップフロップ１０７−１、１０７−２でそれぞれラッチされる。このフリップフロップ１０７−１、１０７−２におけるラッチのタイミングは、ＩＦ帯における中心周波数ｆＩＦが（π／２＋２π×Ｎ）〔ｒａｄ〕（Nは、正の整数）回転する時間だけ異なる。これは、クロック発生器１０８から出力されるクロックを、遅延器１０９−２で遅延させることで得られる。
【００３０】
また、クロック発生器１０８が出力するクロック周波数は、図２に示されるように、ＩＦ帯における中心周波数ｆＩＦのＭ分の一（Ｍは、自然数）の設定とする。
【００３１】
図３は、図１に示す受信装置におけるフリップフロップ１０７−１、１０７−２におけるラッチ動作を説明するための図である。
【００３２】
本実施形態は、Ｎ＝０（遅延器１０９−１での遅延量は、ｆＩＦ〔Ｈｚ〕がπ／２〔ｒａｄ〕回転する値、つまり１／（４・ｆＩＦ）〔ｓｅｃ〕）、Ｍ＝３（クロック発生器１０８が出力するクロック周波数ｆＣＬＫ〔Ｈｚ〕＝ｆＩＦ〔Ｈｚ〕／３）の場合である。
【００３３】
同図に示すように、リミッタ５の出力波形（ａ）は、ｆＩＦ〔Ｈｚ〕がπ／２〔ｒａｄ〕回転する時間、つまり１／（４・ｆＩＦ）〔ｓｅｃ〕だけ異なる時間で、ｆＩＦ〔Ｈｚ〕／３の周期でラッチされる。
【００３４】
受信信号は、図２に示されるようにｆＩＦ±Δｆ〔Ｈｚ〕で伝送されるので、時間の経過に伴い、ラッチするタイミングにおいて、矩形波の一周期内の位相が異なる。すなわち、受信信号は、複数の異なるタイミングでサンプリングされる。これにより、図９を用いて説明した時と同様に、信号の変化を生成できるので、ゼロクロス検波を実行することが可能となる。
【００３５】
以上の動作により、本実施形態における受信装置では、図９に示すフリップフロップ７−１、７−２の出力信号と同等の信号が得られ、フリップフロップ１０７−１、１０７−２以降の処理を、前述した従来法と同様に実行することで、伝送データが得られる。すなわち、本実施形態によれば、複数のＩＱ軸によるゼロクロス検波を適用する場合であっても、ＩＦ帯からベースバンド帯にダウンコンバートする際に用いる乗算器や、リニアコンバイナなどのアナログ回路が不要となり、ＩＦ帯以降をオールデジタル化することができる。その結果、受信装置の小型化および低消費電力化を実現することが可能となる。
【００３６】
（第２の実施形態）
図４は、本発明の第２の実施形態における受信装置の構成を示すブロック図である。本実施形態では、三つの組のベースバンド信号を生成して、ゼロクロス検波を実行する場合を示している。なお、図１に示す一点鎖線部分の検波部は、本図では、検波部２００−１、２００−２、２００−３としている。
【００３７】
同図において、まず、上記第１の実施形態と同様の処理により、リミッタ５から受信信号が出力される。この受信信号は、六つのフリップフロップ２０７−１〜２０７−６に入力される。
【００３８】
また、遅延器２０９−１〜２０９−３では、ＩＦ帯における中心周波数ｆＩＦが（π／２＋２π×Ｎ）〔ｒａｄ〕（Nは、正の整数）回転する遅延時間、遅延器２０９−４では、ＩＦ帯における中心周波数ｆＩＦが（π／６＋２π×Ｎ）〔ｒａｄ〕（Nは、正の整数）回転する遅延時間、遅延器２０９−５では、ＩＦ帯における中心周波数ｆＩＦが（π／３＋２π×Ｎ）〔ｒａｄ〕（Nは、正の整数）回転する遅延時間が設定される。この遅延量の設定により、三つの組のベースバンド信号が得られる。ここで、Ｎ＝１とすると、フリップフロップ２０７−１でラッチする信号がＩ信号、フリップフロップ２０７−２でラッチする信号がＱ信号であり、ｆＩＦがπ／２〔ｒａｄ〕位相を回転した第１組のベースバンド信号（Ｉ（１）、Ｑ（１））が得られる。同様に、フリップフロップ２０７−３および２０７−４でラッチする信号が、第２組のベースバンド信号（Ｉ（２）、Ｑ（２））となり、（Ｉ（１）、Ｑ（１））に対してπ／６〔ｒａｄ〕位相を回転した信号と等価である。また、フリップフロップ２０７−５および２０７−６でラッチする信号が、第３組のベースバンド信号（Ｉ（３）、Ｑ（３））となり、（Ｉ（１）、Ｑ（１））に対してπ／３〔ｒａｄ〕位相を回転した信号と等価である。
【００３９】
すなわち、本実施形態によれば、上記式１において、θ（１）＝０〔ｒａｄ〕、θ（２）＝π／６〔ｒａｄ〕、θ（３）＝π／３〔ｒａｄ〕とした時と同様の処理がなされるので、これにより、複数組のベースバンド信号を生成することが可能となり、ゼロクロスロスを低減することが可能となる。
【００４０】
図５は、図４に示す受信装置におけるフリップフロップでのラッチ動作を説明するための図である。本例では、分かり易いように、ラッチ前の信号（同図（ａ））を正弦波で表しているが、リミッタ後で得られる波形が矩形波であっても同様である。
また、同図（ｂ）はフリップフロップ２０７−１、２０７−２のラッチタイミングでのサンプリング値を示し、同図（ｃ）はフリップフロップ２０７−３、２０７−４のラッチタイミングでのサンプリング値を示し、同図（ｄ）はフリップフロップ２０７−５、２０７−６のラッチタイミングでのサンプリング値を示している。
【００４１】
同図に示すように、本実施形態による受信装置によれば、第１の実施形態で示す二つのフリップフロップで得られる一組のベースバンド信号よりも、ゼロクロスのタイミングが増加する（図中（ｅ）〜（ｇ）参照）。したがって、周波数ドリフトまたはフェージングにより発生するドップラーシフトの影響で、受信信号の周波数偏位が見かけ上減少した場合でも、受信信号のゼロクロスが得られるので、伝送品質の低下を軽減することが可能となる。
【００４２】
図６は、第２の実施形態の変形例を説明するための受信装置の構成例を示すブロック図である。本変形例は、ＩＦ帯の信号をそれぞれ遅延させる構成をとる。
【００４３】
同図において、遅延器２０９−６〜２０９−８は、ＩＦ帯における中心周波数
ｆＩＦが（π／２＋２π×Ｎ）〔ｒａｄ〕（Nは、正の整数）回転する遅延時間が設定される。一方で、遅延器２０９−９では、中心周波数ｆＩＦが（π／６＋２π×Ｎ）〔ｒａｄ〕（Nは、正の整数）回転する遅延時間が設定され、遅延器２０９−１０では、中心周波数ｆＩＦが（π／３＋２π×Ｎ）〔ｒａｄ〕（Nは、正の整数）
回転する遅延時間が設定される。
【００４４】
そして、フィリップフロップ２０７−７〜２０７−１２は、同時刻でサンプリングが実行される。これにより、図４に示す第１の実施形態における受信装置のフィリップフロップの出力と等価の信号が生成される。
【００４５】
フィリップフロップ２０７−７〜２０７−１２からの出力は、その後、それぞれの検波部２００−１〜２００−３に入力され、ゼロクロス検波が行われる。ここで、ゼロクロス時に生成されるパルスの幅を調整することで、パルスの重なりを回避できるので、検波部以降の構成は、加算器２１０−１またはＯＲ回路（論理和）とすることが可能である。これは、複数のベースバンド信号は、位相がそれぞれ異なるので、複数の検波器において、同時に、ゼロクロスが発生しないためである。
【００４６】
このように、本実施形態によれば、加算器２１０−１またはＯＲ回路を適用することにより、検波部の個数に依存せず、一つの検波部の構成と同一のゼロクロスカウンタを適用することが可能となり、ゼロクロスカウンタの規模の増大を回避することができる。
【００４７】
なお、ゼロクロスカウンタ１１からの出力は、従来法と同様に、符号判定部１２にてデータ判定され、該判定されたデータが出力端子１３から出力される。
【００４８】
（第３の実施形態）
上記各実施形態では、変調方式としてＦＳＫを適用した受信装置を例示したが、以下では、本発明にＱＰＳＫ変調方式を適用した場合について説明する。
【００４９】
ＱＰＳＫの信号点は、図７に示すように、In-Phase #1 Axisと、Quadrature-Phase #1 Axisで表現される（Ｉ（１）、Ｑ（１））の値（振幅）は小さい（Quadrature-Phase #1 Axisに近い）ため、符号判定が正しく行われない。
【００５０】
一方、In-Phase #2 AxisとQuadrature-Phase #2 Axisで表現される（Ｉ（２）、Ｑ（２））の値（振幅）は大きいため、符号判定が正しく行われる。
【００５１】
したがって、下記（２）式、または（３）式に基づいた一組のベースバンド信号の選択を行い、選択された一組のベースバンド信号を用いて検波することで、符号判定の精度を向上することが可能となる。
【００５２】
（式２）
Ｍａｘ{ｍｉｎ（Ｉ（１），Ｑ（１）），・・・，ｍｉｎ（Ｉ（ｋ），Ｑ（ｋ））}
ここで、Ｋはベースバンド信号の組数を表す。
【００５３】
（式３）
Ｍａｘ{（Ｉ（１））２＋（Ｑ（１））２，・・・，（Ｉ（ｋ））２＋（Ｑ（ｋ））２}
ここで、Ｋはベースバンド信号の組数を表す。
【００５４】
以上説明したように、本発明による受信装置によれば、ＲＦまたはＩＦ帯の信号を複数の異なるタイミングでアンダーサンプリングすることで、複数の位相の異なるベースバンド信号を生成し、その生成したベースバンド信号を用いて、ゼロクロス検波を実行する。これにより、ＩＦ帯以降のアナログ回路をオールデジタル化することが可能となるので、受信装置の小型化および低消費電力化を実現することができる。
【００５５】
また、変調方式としてＦＳＫを用いた受信装置では、上述の如く複数組のベースバンド信号の生成が可能となるので、周波数ドリフトまたはフェージングにより発生するドップラーシフトの影響で、受信信号の周波数偏位が見かけ上減少した場合に発生する伝送品質の低下を軽減することが可能となる。
【００５６】
なお、上記各実施形態において、ＲＦ帯またはＩＦ帯の受信信号は、無線周波数帯の受信信号に対応する。
【図面の簡単な説明】
【００５７】
【図１】第１の実施形態における受信装置の構成例を示すブロック図である。
【図２】第１の実施形態におけるクロックの設定周波数、受信信号のＩＦ帯の周波数の関係を説明するための図である。
【図３】図１に示す受信装置におけるフリップフロップでのラッチ動作を説明するための図である。
【図４】第２の実施形態における受信装置の構成例を示すブロック図である。
【図５】図４に示す受信装置におけるフリップフロップでのラッチ動作を説明するための図である。
【図６】第２の実施形態の変形例を説明するための受信装置の構成例を示すブロック図である。
【図７】第３の実施形態における一組のベースバンド信号の選択を説明するための図である。
【図８】ゼロクロス検波を実行する従来のＦＳＫ受信装置の構成例を示すブロック図である。
【図９】ゼロクロス検波を説明するための図である。
【図１０】複数組のベースバンド信号によるゼロクロス検波を実行する従来のＦＳＫ受信装置の構成例を示すブロック図である。
【図１１】複数組のベースバンド信号を説明するための図である。
【符号の説明】
【００５８】
１  アンテナ
２−１〜２−５  乗算器
３−１，３−２  局部発信器
４  バンドパスフィルタ（ＢＰＦ）
５，５−１〜５−５  リミッタ
６  π／２位相シフタ
７−１〜７−６，１０７−１，１０７−２，２０７−１〜２０７−１２  フリップフロップ
８，１０８  クロック発生器
９−１，９−２，１０９−１，２０９−１〜２０９−１０  遅延器
１０−１，１０−２，１０−３，２１０−１  加算器
１１−１，１１−２  ゼロクロスカウンタ
１２  符号判定部
１３  出力端子
１４  リニアコンバイナ
２０−１，２０−２，２００−１〜２００−３  検波部
【図１】
2005236436.tif 000003
【図２】
2005236436.tif 000004
【図３】
2005236436.tif 000005
【図４】
2005236436.tif 000006
【図５】
2005236436.tif 000007
【図６】
2005236436.tif 000008
【図７】
2005236436.tif 000009
【図８】
2005236436.tif 000010
【図９】
2005236436.tif 000011
【図１０】
2005236436.tif 000012
【図１１】
2005236436.tif 000013